Podtech/llm-jp-corpus-v4-ja_patent huggingface dataset:
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
放射線治療の治療計画の際に撮影された３次元基準画像と治療の際に撮影される３次元現在画像を各々読み込む３次元画像入力部と、
前記３次元基準画像と前記３次元現在画像とを照合し、前記３次元現在画像における患部の位置姿勢を前記３次元基準画像における患部の位置姿勢に合うように体位補正量を計算する照合処理部と、を備え、
前記照合処理部は、前記３次元基準画像から前記３次元現在画像に対して１次パターンマッチングを行う１次照合部と、
前記３次元基準画像又は前記３次元現在画像の一方から前記１次パターンマッチングの結果に基づいて生成された所定のテンプレート領域から、前記所定のテンプレート領域の生成元とは異なる前記３次元基準画像又は前記３次元現在画像の他方から前記１次パターンマッチングの結果に基づいて生成された所定の検索対象領域に対して、２次パターンマッチングを行う２次照合部と、を有することを特徴とする画像照合装置。
【請求項２】
前記照合処理部は、前記３次元基準画像に準備された患部情報に基づいて、前記３次元基準画像から３次元領域の基準画像テンプレート領域を生成する基準テンプレート領域生成部を備えることを特徴とする請求項１記載の画像照合装置。
【請求項３】
データベース装置から人体データベースを取得する人体データベース入力部と、
前記人体データベースにおける患者の患部に対応する臓器部分から平均テンプレート領域を生成する平均テンプレート領域生成部と、を備え、
前記照合処理部は、前記平均テンプレート領域から前記３次元基準画像に対してパターンマッチングを行い、前記パターンマッチングの結果に基づいて前記３次元基準画像から３次元領域の基準画像テンプレート領域を生成する基準テンプレート領域生成部を有することを特徴とする請求項１記載の画像照合装置。
【請求項４】
前記１次照合部は、前記１次パターンマッチングの際に、前記基準画像テンプレート領域から前記３次元現在画像に対してパターンマッチングを行うことを特徴とする請求項２または３に記載の画像照合装置。
【請求項５】
前記１次照合部は、前記３次元現在画像から前記基準画像テンプレート領域との相関値
が最も高くなった領域を包含するように前記検索対象領域である１次抽出現在画像領域を生成することを特徴とする請求項４記載の画像照合装置。
【請求項６】
前記照合処理部は、３次元画像の位置姿勢を変換する位置姿勢変換部を備え、
前記位置姿勢変換部は、前記基準画像テンプレート領域の位置姿勢を所定の位置姿勢に変換した位置姿勢変換テンプレート領域を生成し、
前記２次照合部は、前記２次パターンマッチングの際に、前記所定のテンプレート領域である前記位置姿勢変換テンプレート領域から前記１次抽出現在画像領域に対してパターンマッチングを行うことを特徴とする請求項５記載の画像照合装置。
【請求項７】
前記２次照合部は、前記位置姿勢変換テンプレート領域の断面を生成し、前記１次抽出現在画像領域と、前記断面との間でパターンマッチングを行うことを特徴とする請求項６記載の画像照合装置。
【請求項８】
前記照合処理部は、３次元画像の位置姿勢を変換する位置姿勢変換部を備え、
前記位置姿勢変換部は、前記基準画像テンプレート領域の位置姿勢を所定の位置姿勢に変換した位置姿勢変換テンプレート領域を生成し、
前記１次照合部は、前記１次パターンマッチングの際に、前記位置姿勢変換テンプレート領域から前記３次元現在画像に対してパターンマッチングを行うことを特徴とする請求項２または３に記載の画像照合装置。
【請求項９】
前記１次照合部は、前記位置姿勢変換テンプレート領域の断面を生成し、前記３次元現在画像と前記断面との間でパターンマッチングを行い、前記断面の複数のなかから最も相関値の高い断面である高相関断面の決定、前記位置姿勢変換テンプレート領域における姿勢変化量の演算、及び前記３次元現在画像における前記高相関断面に対応する抽出領域の抽出を実行することを特徴とする請求項８記載の画像照合装置。
【請求項１０】
前記１次照合部は、前記１次パターンマッチングの際に抽出された前記抽出領域を包含するように前記所定のテンプレート領域である現在画像テンプレート領域を生成し、
前記位置姿勢変換部は、前記３次元基準画像の位置姿勢を、前記現在画像テンプレート領域に対応する前記抽出領域の姿勢変化量だけ変換した姿勢変換基準画像領域を生成し、
前記２次照合部は、前記２次パターンマッチングの際に、前記現在画像テンプレート領域から前記検索対象領域である前記姿勢変換基準画像領域に対してパターンマッチングを行うことを特徴とする請求項９記載の画像照合装置。
【請求項１１】
前記２次照合部は、前記姿勢変換基準画像領域の断面である照合実行面を生成し、前記現在画像テンプレート領域と、前記照合実行面との間でパターンマッチングを行うことを特徴とする請求項１０記載の画像照合装置。
【請求項１２】
請求項１乃至１１のいずれか１項に記載の画像照合装置と、
前記画像照合装置によって計算された体位補正量に基づいて、治療台の各軸を制御するパラメータを算出する治療台制御パラメータ算出部と、を備えたことを特徴とする患者位置決め装置。
【請求項１３】
放射線治療の治療計画の際に撮影された３次元基準画像と治療の際に撮影される３次元現在画像とを照合する画像照合方法であって、
前記３次元基準画像から前記３次元現在画像に対して１次パターンマッチングを実行する１次パターンマッチング手順と、
前記３次元基準画像又は前記３次元現在画像の一方から前記１次パターンマッチングの結果に基づいて生成された所定のテンプレート領域から、前記所定のテンプレート領域の生
成元とは異なる前記３次元基準画像又は前記３次元現在画像の他方から前記１次パターンマッチングの結果に基づいて生成された所定の検索対象領域に対して、２次パターンマッチングを実行する２次パターンマッチング手順と、を含むことを特徴とする画像照合方法。
【請求項１４】
前記３次元基準画像から３次元領域の基準画像テンプレート領域を生成する基準画像テンプレート領域生成手順とを含み、
前記１次パターンマッチング手順は、前記基準画像テンプレート領域から前記３次元現在画像に対して１次パターンマッチングを実行することを特徴とする請求項１３記載の画像照合方法。
【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
駆動部材に対して直線移動する被駆動部材の位置を検出する位置検出装置であって、
前記駆動部材に対して位置決めして設けられた固定子と、
前記被駆動部材に設けられた移動子と、
前記被駆動部材と前記移動子とを連結し、前記被駆動部材の直線移動方向における前記被駆動部材に対する前記移動子の進退移動を規制する規制手段と、
を備え、
前記規制手段は、前記移動子が固定されているとともに前記移動子を前記固定子へ向けて付勢する付勢手段を有し、
前記付勢手段は、前記移動子を前記固定子に接触させ、且つ、前記駆動部材に対して前記被駆動部材が直線移動されたときに、前記固定子に対する前記移動子の位置を、前記移動子を前記固定子に向けて付勢した状態で前記固定子の外面形状に沿って追従させる
ことを特徴とする位置検出装置。
【請求項２】
請求項１に記載の位置検出装置であって、
前記付勢手段は、
前記被駆動部材に固定され前記被駆動部材の直線移動方向へ長い弾性部材からなる軸部と、
前記軸部の端に設けられ前記移動子が固定された固定部と、
を有し、
前記軸部の弾性によって前記移動子を前記固定子に当接させることを特徴とする位置検出装置。
【請求項３】
請求項１または２に記載の位置検出装置であって、
前記付勢手段は、所定の回動中心を回動の中心として前記固定子に対して前記移動子を回動させて前記移動子の一部を前記固定子に当接させる回動手段を有する
ことを特徴とする位置検出装置。
【請求項４】
請求項１から３のいずれか一項に記載の位置検出装置と、
前記駆動部材と、
前記被駆動部材と、
前記駆動部材に接続され伸縮動作可能なアクチュエーターと、
を備えることを特徴とする駆動機構。
【請求項５】
請求項１から３のいずれか一項に記載の位置検出装置または請求項４に記載の駆動機構を備えることを特徴とする内視鏡装置。
【手続補正２】
【補正対象書類名】明細書
【補正対象項目名】０００８
【補正方法】変更
【補正の内容】
【０００８】
本発明の第１の態様は、駆動部材に対して直線移動する被駆動部材の位置を検出する位置検出装置であって、  前記駆動部材に対して位置決めして設けられた固定子と、前記被駆動部材に設けられた移動子と、前記被駆動部材と前記移動子とを連結し、前記被駆動部材の直線移動方向における前記被駆動部材に対する前記移動子の進退移動を規制する規制手段と、を備え、前記規制手段は、前記移動子が固定されているとともに前記移動子を前記固定子へ向けて付勢する付勢手段を有し、前記付勢手段は、前記移動子を前記固定子に接触させ、且つ、前記駆動部材に対して前記被駆動部材が直線移動されたときに、前記固定子に対する前記移動子の位置を、前記移動子を前記固定子に向けて付勢した状態で前記固定子の外面形状に沿って追従させることを特徴とする位置検出装置である。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
Ｘ線の散乱を防止するグリッドが設けられるグリッド保持ユニットと、
Ｘ線画像を撮影できる撮影部ユニットと、
把持用の把手が設けられるハンドルユニットと、
前記グリッド保持ユニットと前記撮影部ユニットとを分離可能に結合する第一着脱規制部と、
前記撮影部ユニットと前記ハンドルユニットとを分離可能に結合する第二着脱規制部と、
を含むことを特徴とする放射線画像撮影装置。
【請求項２】
前記グリッド保持ユニットと前記ハンドルユニットとを分離可能に結合する第三着脱規制部を更に含むことを特徴とする請求項１に記載の放射線画像撮影装置。
【請求項３】
前記第一着脱規制部と前記第二着脱規制部と前記第三着脱規制部のうちの一つの結合を維持しつつ残りの二つによる結合を解除した状態に一度の解除操作により遷移させる解除機構を更に含むことを特徴とする請求項２に記載の放射線画像撮影装置。
【請求項４】
前記グリッド保持ユニットと前記撮影部ユニットと前記ハンドルユニットのすべてが結合している状態においては、前記第一着脱規制部と前記第二着脱規制部と前記第三着脱規制部のうちの一つによる結合が解除されることを特徴とする請求項３に記載の放射線画像撮影装置。
【請求項５】
前記第一着脱規制部は、前記グリッド保持ユニットと前記撮影部ユニットの一方に形成される凹部と、前記グリッド保持ユニットと前記撮影部ユニットの他方に設けられ前記凹部に嵌まり込むことができる可動爪とを有し、
前記第二着脱規制部は、前記撮影部ユニットと前記ハンドルユニットの一方に形成される他の凹部と、前記撮影部ユニットと前記ハンドルユニットの他方に形成され、前記他の凹部に嵌まり込むことができる他の可動爪とを有し、
前記第三着脱規制部は、前記グリッド保持ユニットと前記ハンドルユニットの一方に形成される係合孔と、前記グリッド保持ユニットと前記ハンドルユニットの他方に往復動可能に設けられ前記係合孔に嵌まり込むことができるさらに他の可動爪とを有することを特徴とする請求項３または４に記載の放射線画像撮影装置。
【請求項６】
前記解除機構は、前記ハンドルユニットに設けられることを特徴とする請求項３から５のいずれか１項に記載の放射線画像撮影装置。
【請求項７】
前記第一着脱規制部は、前記グリッド保持ユニットと前記撮影部ユニットの一方に形成される凹部と、前記グリッド保持ユニットと前記撮影部ユニットの他方に設けられ前記凹部に嵌まり込むことができる可動爪とを有し、
第二着脱規制部と第三着脱規制部とは、前記グリッド保持ユニットに形成される係合孔と、前記撮影部ユニットに形成される他の凹部と、前記ハンドルユニットに設けられ、前記係合孔および前記他の凹部に嵌まり込むことができる他の可動爪を有し、前記第一着脱規制部と前記第二着脱規制部と前記第三着脱規制部が解除された後も、前記グリッド保持ユニット、前記撮影部ユニットおよび前記ハンドルユニットの再結合のための位置関係を保持するガイド機構を有することを特徴とする請求項３から６のいずれか１項に記載の放射線画像撮影装置。
【請求項８】
前記第一着脱規制部と前記第二着脱規制部と前記第三着脱規制部とは、前記グリッド保持ユニットと前記撮影部ユニットと前記ハンドルユニットとを自動的に結合することを特徴とする請求項３から７のいずれか１項に記載の放射線画像撮影装置。
【請求項９】
前記第一着脱規制部による結合および前記第二着脱規制部による結合を同時に解除するための操作レバーと、
前記第二着脱規制部による結合および前記第三着脱規制部による結合を同時に解除するための他の操作レバーと、
前記第一着脱規制部と前記第二着脱規制部と前記第三着脱規制部とは、
前記第一着脱規制部による結合および前記第三着脱規制部による結合を同時に解除するためのさらに他の操作レバーと、
を備えることを特徴とする請求項３から８のいずれか１項に記載の放射線画像撮影装置。
【手続補正２】
【補正対象書類名】明細書
【補正対象項目名】０００７
【補正方法】変更
【補正の内容】
【０００７】
上述した機能を実現するために、本発明は、Ｘ線の散乱を防止するグリッドが設けられるグリッド保持ユニットと、Ｘ線画像を撮影できる撮影部ユニットと、把持用の把手が設けられるハンドルユニットと、前記グリッド保持ユニットと前記撮影部ユニットとを分離可能に結合する第一着脱規制部と、前記撮影部ユニットと前記ハンドルユニットとを分離可能に結合する第二着脱規制部と、を含むことを特徴とする。
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
静磁場中に配置された被検体の撮像領域にＲＦパルスを照射するＲＦパルス照射部と、
前記撮像領域にＲＦパルスを繰り返し照射して、該撮像領域のスピンを定常状態にしてエコーデータの計測を行うＳＳＦＰシーケンスの実行を制御する計測制御部を備えた磁気共鳴イメージング装置であって、
前記ＲＦパルスのフリップ角を周期的に変化させるよう設定する周期的フリップ角変調部と、
相対的に大きいフリップ角のＲＦパルスを照射して得られたエコーデータをｋ空間の低域に配置するように、前記エコーデータの位相エンコードを設定するｋ空間配置設定部と、
を備え、
前記計測制御部は、前記周期的フリップ角変調部が設定した周期的に変化するフリップ角と、前記ｋ空間配置設定部が設定した前記エコーデータ毎の位相エンコードと、を用いて前記ＳＳＦＰシーケンスを実行することを特徴とする磁気共鳴イメージング装置。
【請求項２】
請求項１記載の磁気共鳴イメージング装置において、
前記周期的フリップ角変調部は、前記ＲＦパルスのフリップ角を周期的に変化させる周期関数を設定して、該周期関数に基づいて、前記ＲＦパルスのフリップ角の周期的変化を設定することを特徴とする磁気共鳴イメージング装置。
【請求項３】
請求項１又は２記載の磁気共鳴イメージング装置において、
前記ｋ空間を位相エンコード方向に複数のセグメントに分割して、前記フリップ角に応じて、各セグメントに配置する前記エコーデータを設定するセグメント計測設定部を備え、
前記計測制御部は、前記セグメント計測設定部が設定したセグメント毎のエコーデータ配置となるように、各エコーデータに印加する前記位相エンコードを制御することを特徴とする磁気共鳴イメージング装置。
【請求項４】
請求項１乃至３のいずれか一項に記載の磁気共鳴イメージング装置において、
前記被検体の心周期を複数の時相に分割して時相毎の前記エコーデータを計測する計測期間と、隣接する計測期間を接続し、一定のフリップ角のＲＦパルスを照射する一定期間を有する接続期間と、を設定する接続期間設定部を備え、
前記計測制御部は、前記隣接する計測期間の間に前記接続期間を設けて、前記ＳＳＦＰシーケンスを実行することを特徴とする磁気共鳴イメージング装置。
【請求項５】
請求項４記載の磁気共鳴イメージング装置において、
前記接続期間は、前記一定期間の前と後に、それぞれ、前記計測期間のフリップ角から前記一定期間のフリップ角へと橋渡しする前過渡期間と、前記一定期間のフリップ角から前記計測期間のフリップ角へと橋渡しする後過渡期間を有することを特徴とする磁気共鳴イメージング装置。
【請求項６】
請求項１乃至５のいずれか一項に記載の磁気共鳴イメージング装置において、
複数の前記エコーデータが配置されて成るｋ空間データの、前記フリップ角の周期的変化に基づく位相エンコード方向の信号強度変化を補正するｋ空間データ補正部を備えていることを特徴とする磁気共鳴イメージング装置。
【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
遊技領域内に配設された始動部品への入球により取得された乱数に基づいて第１当否判定を実行する当否判定手段と、
前記第１当否判定の結果と複数の遊技状態に基づいて参照される複数の変動パターンテーブルより抽出された変動種別に基づいて変動表示されるとともに、当該変動種別に基づいて参照される図柄指定テーブルより抽出された停止図柄情報に基づいて停止表示され、停止表示の態様によって前記第１当否判定の結果を報知する演出図柄を表示する図柄変動手段と、
演出図柄の変動表示中に、前記始動部品への入球により新たに取得された乱数に基づいて前記第１当否判定と異なる第２当否判定を実行し、当該第２当否判定の結果、及び、複数の遊技状態に基づいて変動パターンテーブルを参照して変動種別を抽出する先読み手段と、
前記先読み手段によって抽出された変動種別が予め設定された特定の種別であって、かつ、前記先読み手段によって特定の種別であると判定された乱数に基づいて前記第１当否判定が実行されるよりも前に前記図柄変動手段によって変動する演出図柄の変動種別が前記特定の種別とは異なる変動種別である場合、当該変動における停止表示の態様を所定の演出図柄を含む態様に変更する停止図柄変更手段とを備えるパチンコ機。
【請求項２】
遊技領域内に配設された始動部品への入球により取得された乱数に基づいて第１当否判定を実行する当否判定手段と、
前記第１当否判定の結果と複数の遊技状態に基づいて参照される複数の変動パターンテーブルより抽出された変動種別に基づいて変動表示されるとともに、当該変動種別に基づいて参照される図柄指定テーブルより抽出された停止図柄情報に基づいて停止表示され、停止表示の態様によって前記第１当否判定の結果を報知する演出図柄を表示する図柄変動手段と、
演出図柄の変動表示中に、前記始動部品への入球により新たに取得された乱数に基づいて前記第１当否判定と異なる第２当否判定を実行し、当該第２当否判定の結果、及び、複数の遊技状態に基づいて変動パターンテーブルを参照して変動種別を抽出する先読み手段と、
前記先読み手段によって抽出された変動種別が予め設定された特定の種別であって、かつ、図柄変動手段によって変動表示中の演出図柄の変動種別が前記特定の種別とは異なる変動種別である場合、当該変動表示中の演出図柄の停止表示の態様を所定の演出図柄を含む態様に変更する停止図柄変更手段とを備えるパチンコ機。
【請求項３】
前記停止図柄変更手段は、前記先読み手段によって抽出された変動種別が演出図柄をリーチ状態とする特定の種別であるとき、かつ、現在変動中の演出図柄の変動種別が当該演出図柄をリーチ状態とする特定の種別であるときに、前記停止図柄情報に基づく現在変動表示中の演出図柄の停止表示の態様を、演出図柄と異なる報知図柄を含む態様に変更する請求項２記載のパチンコ機。
【請求項４】
前記先読み手段は、前記抽出した変動種別が前記特定の種別であるときに、前記停止図柄変更手段に対して変更指示コマンドを送信し、
前記停止図柄変更手段は、前記変更指示コマンドを受信したこと、かつ、現在変動中の演出図柄の変動種別が前記特定の種別であるときに、前記停止図柄情報に基づく現在変動表示中の演出図柄の停止表示の態様を、演出図柄と異なる報知図柄を含む態様に変更する請求項３記載のパチンコ機。
【手続補正２】
【補正対象書類名】明細書
【補正対象項目名】０００５
【補正方法】変更
【補正の内容】
【０００５】
前記課題を解決すべく本発明に係るパチンコ機の構成として、遊技領域内に配設された始動部品への入球により取得された乱数に基づいて第１当否判定を実行する当否判定手段と、第１当否判定の結果と複数の遊技状態に基づいて参照される複数の変動パターンテーブルより抽出された変動種別に基づいて変動表示されるとともに、当該変動種別に基づいて参照される図柄指定テーブルより抽出された停止図柄情報に基づいて停止表示され、停止表示の態様によって第１当否判定の結果を報知する演出図柄を表示する図柄変動手段と、演出図柄の変動表示中に、始動部品への入球により新たに取得された乱数に基づいて第１当否判定と異なる第２当否判定を実行し、当該第２当否判定の結果、及び、複数の遊技状態に基づいて変動パターンテーブルを参照して変動種別を抽出する先読み手段と、先読み手段によって抽出された変動種別が予め設定された特定の種別であって、かつ、先読み手段によって特定の種別であると判定された乱数に基づいて第１当否判定が実行されるよりも前に図柄変動手段によって変動する演出図柄の変動種別が特定の種別とは異なる変動種別である場合、当該変動における停止表示の態様を所定の演出図柄を含む態様に変更する停止図柄変更手段とを備える構成とした。
本構成によれば、停止図柄変更手段が、先読み手段によって抽出された変動種別が予め設定された特定の種別であって、かつ、先読み手段によって特定の種別であると判定された乱数に基づいて第１当否判定が実行されるよりも前に図柄変動手段によって変動される演出図柄の変動種別が特定の種別とは異なる変動種別である場合、当該変動における停止表示の態様を所定の演出図柄を含む態様とすることから、第１当否判定が実行されるよりも前に図柄変動手段によって変動する演出図柄の変動種別に関わらず、変動停止後の停止態様によって、次変動以降の大当りへの期待感を効果的に演出することができる。  
【手続補正３】
【補正対象書類名】明細書
【補正対象項目名】０００６
【補正方法】変更
【補正の内容】
【０００６】
また、パチンコ機の他の構成として、停止図柄変更手段が、先読み手段によって抽出された変動種別が予め設定された特定の種別であって、かつ、図柄変動手段によって変動表示中の演出図柄の変動種別が特定の種別とは異なる変動種別である場合、当該変動表示中の演出図柄の停止表示の態様を所定の演出図柄を含む態様に変更する構成とした。
本構成によれば、停止図柄変更手段が、先読み手段によって抽出された変動種別が予め設定された特定の種別であって、かつ、図柄変動手段によって変動表示中の演出図柄の変動種別が特定の種別とは異なる変動種別であるときに、停止図柄情報に基づく変動表示中の演出図柄の停止表示の態様を所定の演出図柄を含む態様に変更することから、変動表示中の演出図柄の変動態様に関わらず変動停止後の停止態様によって、次変動以降の大当りへの期待感を効果的に演出することができる。
【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
少なくとも２つのセンシングモードを有するセンサ部と、
前記センサ部でセンシングされた信号に対応するセンシングデータを他の端末に無線で送信するとともに、前記他の端末から送信される制御データを受信する無線通信部と、
前記センサ部が有するセンシングモードのうち、２つのセンシングモードを比較したときに、相対的にセンシング間隔が長いモードを第１のモードと定義し、相対的にセンシング間隔が短いモードを第２のモードと定義するとき、前記第１のモードから前記第２のモードへの移行の要否については、前記センサ部でセンシングされた前記信号に基づいて判定するとともに、前記第２のモードから前記第１のモードへの移行の要否については、前記無線通信部が受信した前記制御データに基づいて判定する制御部と、
を有することを特徴とするセンシング無線端末。
【請求項２】
前記制御部は、前記第１のモードから前記第２のモードへ移行すると判定した場合、前記無線通信部を制御し、前記他の端末が備える通信部を起動させるための信号を当該他の端末に送信する
ことを特徴とする請求項１に記載のセンシング無線端末。
【請求項３】
センサ部を有するセンシング無線端末のセンシング方法であって
相対的にセンシング間隔が長いモードを第１のモードと定義し、相対的にセンシング間隔が短いモードを第２のモードと定義するとき、前記センサ部で、第１のモード又は第２のモードでセンシングするステップと、
前記センサ部でセンシングされた信号に対応するセンシングデータを他の端末に無線で送信するとともに、前記端末から無線で送信される制御データを無線で受信するステップと、
前記第１のモードから前記第２のモードへの移行の要否については、前記センサ部でセンシングされた前記信号に基づいて判定するとともに、前記第２のモードから前記第１のモードへの移行の要否については、前記受信した前記制御データに基づいて判定するステップと、
を含むことを特徴とするセンシング無線端末のセンシング方法。
【請求項４】
センシング無線端末と、センシング無線端末からセンシングデータを受信する端末と、を有するセンシングシステムであって、
前記センシング無線端末は、
少なくとも２つのセンシングモードを有するセンサ部と、
前記センサ部でセンシングされた信号に対応するセンシングデータを他の端末に無線で送信するとともに、前記端末から送信される制御データを受信する第１無線通信部と、
前記センサ部が有するセンシングモードのうち、２つのセンシングモードを比較したときに、相対的にセンシング間隔が長いモードを第１のモードと定義し、相対的にセンシング間隔が短いモードを第２のモードと定義するとき、前記第１のモードから前記第２のモードへの移行の要否については、前記センサ部でセンシングされた前記信号に基づいて判定するとともに、前記第２のモードから前記第１のモードへの移行の要否については、前記第２無線通信部が受信した前記制御データに基づいて判定する制御部と、
を有し、
前記端末は、
前記センシングデータを前記センシング端末から無線で受信するとともに、前記制御データを前記センシング端末に送信する第２無線通信部
を有することを特徴とするセンシングシステム。
【手続補正２】
【補正対象書類名】明細書
【補正対象項目名】発明の名称
【補正方法】変更
【補正の内容】
【発明の名称】センシング無線端末、センシング方法およびセンシングシステム
【手続補正３】
【補正対象書類名】明細書
【補正対象項目名】０００１
【補正方法】変更
【補正の内容】
【０００１】
本発明は、センシング無線端末、センシング方法およびセンシングシステムに関する。
【手続補正４】
【補正対象書類名】明細書
【補正対象項目名】０００８
【補正方法】変更
【補正の内容】
【０００８】
本発明は、上記の問題を解決するためになされたものであり、消費電力を抑えつつ、緊急時に機を逃す可能性を低くすることができるセンシング無線端末、センシング方法およびセンシングシステムを提供することを目的とする。
【手続補正５】
【補正対象書類名】明細書
【補正対象項目名】００１０
【補正方法】変更
【補正の内容】
【００１０】
また、本発明のセンシング無線端末において、前記制御部は、前記第１のモードから前記第２のモードへ移行すると判定した場合、前記無線通信部を制御し、前記他の端末が備える通信部を起動させるための信号を当該他の端末に送信することを特徴とする。
また、本発明は、センサ部を有するセンシング無線端末のセンシング方法であって相対的にセンシング間隔が長いモードを第１のモードと定義し、相対的にセンシング間隔が短いモードを第２のモードと定義するとき、前記センサ部で、第１のモード又は第２のモードでセンシングするステップと、前記センサ部でセンシングされた信号に対応するセンシングデータを他の端末に無線で送信するとともに、前記端末から無線で送信される制御データを無線で受信するステップと、前記第１のモードから前記第２のモードへの移行の要否については、前記センサ部でセンシングされた前記信号に基づいて判定するとともに、前記第２のモードから前記第１のモードへの移行の要否については、前記受信した前記制御データに基づいて判定するステップと、を含むことを特徴とするセンシング無線端末のセンシング方法である。
また、本発明は、センシング無線端末と、センシング無線端末からセンシングデータを受信する端末と、を有するセンシングシステムであって、前記センシング無線端末は、少なくとも２つのセンシングモードを有するセンサ部と、前記センサ部でセンシングされた信号に対応するセンシングデータを他の端末に無線で送信するとともに、前記端末から送信される制御データを受信する第１無線通信部と、前記センサ部が有するセンシングモードのうち、２つのセンシングモードを比較したときに、相対的にセンシング間隔が長いモードを第１のモードと定義し、相対的にセンシング間隔が短いモードを第２のモードと定義するとき、前記第１のモードから前記第２のモードへの移行の要否については、前記センサ部でセンシングされた前記信号に基づいて判定するとともに、前記第２のモードから前記第１のモードへの移行の要否については、前記第２無線通信部が受信した前記制御データに基づいて判定する制御部と、を有し、前記端末は、前記センシングデータを前記センシング端末から無線で受信するとともに、前記制御データを前記センシング端末に送信する第２無線通信部を有することを特徴とするセンシングシステムである。
【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
センシング端末からバイタルデータを無線受信する無線通信部と、
比較用バイタルデータを記憶する記憶部と、
前記無線受信したバイタルデータと前記比較用バイタルデータとを比較する比較部と、
前記比較部による比較結果に基づいて、前記バイタルデータを無線送信した前記センシング端末に対して、前記バイタルデータの無線送信を停止させる指示を、前記無線通信部が送信するよう制御する制御部と、
を有することを特徴とする無線通信システム。
【請求項２】
前記センシング端末から起動信号を受信する起動信号受信部
を備え、
前記制御部は、前記起動信号受信部が前記センシング端末から前記起動信号を受信した場合、前記無線通信部を起動させる
ことを特徴とする請求項１に記載の無線通信システム。
【請求項３】
前記制御部は、前記無線通信部が前記指示を送信した後、当該無線通信部の動作を停止させる
ことを特徴とする請求項１または請求項２に記載の無線通信システム。
【請求項４】
前記センシング端末が有する複数のセンシングモードのうち２つのセンシングモードを比較したときに、相対的にセンシング間隔が長いモードを第１のモードと定義し、相対的にセンシング間隔が短いモードを第２のモードと定義するとき、前記指示は、前記センシング端末を前記第１のモードで動作させる指示を含む
ことを特徴とする請求項１から請求項３のいずれか１項に記載の無線通信システム。
【請求項５】
前記記憶部は、前記比較用バイタルデータとして心拍数データ又は血糖値データを記憶する
ことを特徴とする請求項１に記載の無線通信システム。
【請求項６】
前記制御部は、前記無線受信したバイタルデータと前記比較用バイタルデータとを複数サイクル比較した結果に基づいて、前記指示を前記無線通信部が送信するよう制御する
ことを特徴とする請求項５に記載の無線通信システム。
【請求項７】
サーバと無線通信端末とを有する無線通信システムであって、
前記サーバは、
前記無線通信端末と通信を行う通信部と、
比較用バイタルデータを記憶する記憶部と、
前記無線通信端末から受信したバイタルデータと前記比較用バイタルデータとを比較する比較部と、
前記比較部による比較結果を示す比較結果信号を前記無線通信端末に対して送信するように前記通信部を制御するサーバ制御部と、
を有し、
前記無線通信端末は、
センシング端末から前記バイタルデータを無線受信する無線第１通信部と、
前記センシング端末から受信した前記バイタルデータを前記サーバに送信する第２通信部と、
前記サーバから受信した前記比較結果信号に基づいて、前記バイタルデータを無線送信した前記センシング端末に対して、前記バイタルデータの無線送信を停止させる指示を、前記無線第１通信部が送信するよう制御する制御部と、
を有する
ことを特徴とする無線通信システム。
【請求項８】
センシング端末からバイタルデータを無線受信するステップと、
比較用バイタルデータを記憶するステップと、
前記無線受信したバイタルデータと前記比較用バイタルデータとを比較するステップと、
前記比較の結果に基づいて、前記バイタルデータを無線送信した前記センシング端末に対して、前記バイタルデータの無線送信を停止させる指示を、前記無線送信するステップと、
を含むことを特徴とする無線通信方法。
【手続補正２】
【補正対象書類名】明細書
【補正対象項目名】発明の名称
【補正方法】変更
【補正の内容】
【発明の名称】無線通信システムおよび無線通信方法
【手続補正３】
【補正対象書類名】明細書
【補正対象項目名】０００１
【補正方法】変更
【補正の内容】
【０００１】
本発明は、無線通信システムおよび無線通信方法に関する。
【手続補正４】
【補正対象書類名】明細書
【補正対象項目名】０００７
【補正方法】変更
【補正の内容】
【０００７】
本発明は、上記の問題を解決するためになされたものであり、センシング端末の動作モードを消費電力の少ない動作モードに切り換えることができる無線通信システムおよび無線通信方法を提供することを目的とする。
【手続補正５】
【補正対象書類名】明細書
【補正対象項目名】０００９
【補正方法】変更
【補正の内容】
【０００９】
また、本発明は、前記センシング端末から起動信号を受信する起動信号受信部を備え、前記制御部は、前記起動信号受信部が前記センシング端末から前記起動信号を受信した場合、前記無線通信部を起動させることを特徴とする無線通信システムである。
【手続補正６】
【補正対象書類名】明細書
【補正対象項目名】００１０
【補正方法】変更
【補正の内容】
【００１０】
また、本発明の無線通信システムにおいて、前記制御部は、前記無線通信部が前記指示を送信した後、当該無線通信部の動作を停止させることを特徴とする。
【手続補正７】
【補正対象書類名】明細書
【補正対象項目名】００１２
【補正方法】変更
【補正の内容】
【００１２】
また、本発明の無線通信システムにおいて、前記記憶部は、前記比較用バイタルデータとして心拍数データ又は血糖値データを記憶することを特徴とする。
【手続補正８】
【補正対象書類名】明細書
【補正対象項目名】００１３
【補正方法】変更
【補正の内容】
【００１３】
また、本発明の無線通信システムにおいて、前記制御部は、前記無線受信したバイタルデータと前記比較用バイタルデータとを複数サイクル比較した結果に基づいて、前記指示を前記無線通信部が送信するよう制御することを特徴とする。
【手続補正９】
【補正対象書類名】明細書
【補正対象項目名】００１４
【補正方法】変更
【補正の内容】
【００１４】
また、本発明は、サーバと無線通信端末とを有する無線通信システムであって、前記サーバは、前記無線通信端末と通信を行う通信部と、比較用バイタルデータを記憶する記憶部と、前記無線通信端末から受信したバイタルデータと前記比較用バイタルデータとを比較する比較部と、前記比較部による比較結果を示す比較結果信号を前記無線通信端末に対して送信するように前記通信部を制御するサーバ制御部と、を有し、前記無線通信端末は、センシング端末から前記バイタルデータを無線受信する無線第１通信部と、前記センシング端末から受信した前記バイタルデータを前記サーバに送信する第２通信部と、前記サーバから受信した前記比較結果信号に基づいて、前記バイタルデータを無線送信した前記センシング端末に対して、前記バイタルデータの無線送信を停止させる指示を、前記無線第１通信部が送信するよう制御する制御部と、を有することを特徴とする無線通信システムである。
また、本発明は、センシング端末からバイタルデータを無線受信するステップと、比較用バイタルデータを記憶するステップと、前記無線受信したバイタルデータと前記比較用バイタルデータとを比較するステップと、前記比較の結果に基づいて、前記バイタルデータを無線送信した前記センシング端末に対して、前記バイタルデータの無線送信を停止させる指示を、前記無線送信するステップと、を含むことを特徴とする無線通信方法である。
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
遊技球が流下する遊技領域を前面に有する遊技盤を前方から遊技機本体に取り付けて構成される遊技機であって、
前記遊技機本体が、
取付位置にあるときの前記遊技盤の前面の前後位置を前方から規制する体勢に保持されて該遊技盤の離脱を不可とする閉止位置と、取付位置にあるときの前記遊技盤の前面の位置から離脱して該遊技盤の着脱を可とする開放位置との間で変位し得る可動部と、
前記可動部の変位とは無関係に、前記遊技盤の後側における一定の前後位置に配置され、前記遊技盤を前方へ押圧する押圧部と、
を備えることを特徴とする遊技機。
【請求項２】
前記遊技盤の前面に接触することなく動作して前記可動部を変位させ得る操作部をさらに備えることを特徴とする請求項１に記載の遊技機。
【請求項３】
前記可動部が、回動することにより閉止位置と開放位置とに変移し得る構成となっていることを特徴とする請求項１または請求項２に記載の遊技機。
【請求項４】
前記可動部が、あるいは前記操作部を備える場合には前記可動部および前記操作部が、遊技機の前後方向に移動して動作する構成となっていることを特徴とする請求項１から請求項３のいずれかに記載の遊技機。
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
複数の遊技台が配列された構成を含む遊技島に適用され、遊技のために入金される紙幣を搬送するための紙幣搬送装置であって、
遊技島の長さ方向に沿って横方向に延びる長手形状をし、縦方向に所定の幅を有する一方側面と、前記一方側面と背中合わせに設けられた縦方向に所定の幅を有する他方側面とを備える搬送路レールと、
前記搬送路レールに沿って紙幣の搬送を行う、幅が縦向きに配置された無端状のベルトと、
前記ベルトを周回移動させる駆動手段と、
を含み、
前記搬送路レールの一方側面および他方側面は、縦方向に上下対称の形状であることを特徴とする、紙幣搬送装置。
【請求項２】
前記搬送路レールの一方側面および他方側面の縦方向中央部には、前記ベルトを案内する案内路が形成されていて、前記ベルトの下端縁を受け止めるためのリブが設けられていることを特徴とする、請求項１記載の紙幣搬送装置。
【請求項３】
前記ベルトの周回方向を切り替える切替手段を含むことを特徴とする、請求項１または２記載の紙幣搬送装置。
【請求項４】
紙幣を取り込む取込口、および、前記取込口に取り込まれた紙幣を前記ベルトまで誘導する誘導路が形成された縦方向に上下対称の形状であり、前記搬送路レールの長さ方向における任意の位置に着脱可能な紙幣取込装置を含むことを特徴とする、請求項１〜３のいずれかに記載の紙幣搬送装置。
【請求項５】
縦方向に上下対称の形状であり、前記搬送路レールとの間に前記ベルトが配置されるように前記搬送路レールに対して着脱可能なカバー部材を含むことを特徴とする、請求項１〜４のいずれかに記載の紙幣搬送装置。
【手続補正２】
【補正対象書類名】明細書
【補正対象項目名】０００６
【補正方法】変更
【補正の内容】
【０００６】
請求項１記載の発明は、複数の遊技台が配列された構成を含む遊技島に適用され、遊技のために入金される紙幣を搬送するための紙幣搬送装置であって、遊技島の長さ方向に沿って横方向に延びる長手形状をし、縦方向に所定の幅を有する一方側面と、前記一方側面と背中合わせに設けられた縦方向に所定の幅を有する他方側面とを備える搬送路レールと、前記搬送路レールに沿って紙幣の搬送を行う、幅が縦向きに配置された無端状のベルトと、前記ベルトを周回移動させる駆動手段と、を含み、前記搬送路レールの一方側面および他方側面は、縦方向に上下対称の形状であることを特徴とする、紙幣搬送装置である。
【手続補正３】
【補正対象書類名】明細書
【補正対象項目名】０００７
【補正方法】変更
【補正の内容】
【０００７】
請求項２記載の発明は、前記搬送路レールの一方側面および他方側面の縦方向中央部には、前記ベルトを案内する案内路が形成されていて、前記ベルトの下端縁を受け止めるためのリブが設けられていることを特徴とする、請求項１記載の紙幣搬送装置である。
請求項３記載の発明は、前記ベルトの周回方向を切り替える切替手段を含むことを特徴とする、請求項１または２記載の紙幣搬送装置である。
【手続補正４】
【補正対象書類名】明細書
【補正対象項目名】０００８
【補正方法】変更
【補正の内容】
【０００８】
請求項４記載の発明は、紙幣を取り込む取込口、および、前記取込口に取り込まれた紙幣を前記ベルトまで誘導する誘導路が形成された縦方向に上下対称の形状であり、前記搬送路レールの長さ方向における任意の位置に着脱可能な紙幣取込装置を含むことを特徴とする、請求項１〜３のいずれかに記載の紙幣搬送装置である。
【手続補正５】
【補正対象書類名】明細書
【補正対象項目名】０００９
【補正方法】変更
【補正の内容】
【０００９】
請求項５記載の発明は、縦方向に上下対称の形状であり、前記搬送路レールとの間に前記ベルトが配置されるように前記搬送路レールに対して着脱可能なカバー部材を含むことを特徴とする、請求項１〜４のいずれかに記載の紙幣搬送装置である。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項１記載の発明によれば、紙幣搬送装置では、搬送路レールに沿って紙幣の搬送を行う、幅が縦向きに配置された無端状のベルトは、駆動手段によって、平面視で環状をなす軌跡で周回移動される。一方側面および他方側面が縦方向に上下対称の形状である搬送路レールは、上下を逆にしても用いることができるので、上下の向きを気にせずに搬送路レールを設置できて使い勝手が良い。
【手続補正８】
【補正対象書類名】明細書
【補正対象項目名】００１２
【補正方法】変更
【補正の内容】
【００１２】
請求項２記載の発明によれば、一方側面および他方側面の両側面に設けられたリブによってベルトのずれ落ちを防止することができるので、ベルトを安定した状態で周回移動させることができる。
【手続補正９】
【補正対象書類名】明細書
【補正対象項目名】００１３
【補正方法】変更
【補正の内容】
【００１３】
請求項３記載の発明によれば、必要に応じて、ベルトの周回方向を切替手段によって切り替えることができる。
たとえば、遊技島が遊技店内の壁面に沿って設置されている場合において、ベルトが、壁際に沿って移動してから反転し、その後、壁際よりも遊技台側（壁際から離れた側）で移動しながら紙幣を受け取って搬送するようにベルトの周回方向を切り替えておく。すると、紙幣のジャムは、仮に発生したとしても、壁際でなく、壁際よりもアクセスしやすい遊技台側で生じるので、円滑にジャムを解消できる。
つまり、周回移動するベルトで紙幣を搬送する構成において使い勝手の向上を図ることができる。
請求項４記載の発明によれば、縦方向に上下対称の形状である紙幣取込装置は、上下を逆にしても用いることができるので、上下の向きを気にせず搬送路レールに装着できて使い勝手が良い。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
請求項５記載の発明によれば、縦方向に上下対称の形状であるカバー部材は、上下を逆にしても用いることができるので、上下の向きを気にせず搬送路レールに装着できて使い勝手が良い。
【手続補正１２】
【補正対象書類名】明細書
【補正対象項目名】００１６
【補正方法】削除
【補正の内容】
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
被検体に光を照射し、前記被検体からの光を受光する生体センサーであって、
光透過性を有する第１の基板と、
発光素子及び受光素子が配置された第２の基板と、を含み、
前記第１の基板は、前記発光素子が発光した第１の光を透過させると共に、前記第１の光の照射によりもたらされる前記被検体からの第２の光を透過させ、前記第２の光は前記受光素子により受光され、
前記第１の基板の前記第２の基板側の面である第１の面は前記第１の光に対して反射防止性を有することを特徴とする生体センサー。
【請求項２】
前記第１の面には、前記反射防止フィルムが貼付された
ことを特徴とする請求項１に記載の生体センサー。
【請求項３】
前記反射防止フィルムは、表面に薄膜が形成されたものである
ことを特徴とする請求項２に記載の生体センサー。
【請求項４】
前記薄膜は、誘電体からなる複数の薄膜が複数積層されており、
前記複数の薄膜のそれぞれ隣り合う膜同士では屈折率が互いに異なる
ことを特徴とする請求項３に記載の生体センサー。
【請求項５】
前記反射防止フィルムの前記第２の基板側の表面は、凹凸形状となっている
ことを特徴とする請求項２に記載の生体センサー。
【請求項６】
前記第１の面には、薄膜が形成されている
ことを特徴とする請求項１に記載の生体センサー。
【請求項７】
前記薄膜は、誘電体からなる複数の薄膜が積層されて形成され、
前記複数の薄膜のそれぞれ隣り合う膜同士では屈折率が互いに異なる
ことを特徴とする請求項６に記載の生体センサー。
【請求項８】
前記第１の面が凹凸形状となっている
ことを特徴とする請求項１に記載の生体センサー。
【請求項９】
請求項１乃至８のいずれかに記載の生体センサーと、
前記受光素子から出力される信号に基づいて生体情報を出力する演算処理回路と、
を備える生体情報検出装置。
【手続補正２】
【補正対象書類名】明細書
【補正対象項目名】０００５
【補正方法】変更
【補正の内容】
【０００５】
上記課題の少なくともひとつを解決するために、本発明に係るひとつの生体センサーは、被検体に光を照射し、前記被検体からの光を受光する生体センサーであって、光透過性を有する第１の基板と、発光素子及び受光素子が配置された第２の基板と、を含み、前記第１の基板は、前記発光素子が発光した第１の光を透過させると共に、前記第１の光の照射によりもたらされる前記被検体からの第２の光を透過させ、前記第２の光は前記受光素子により受光され、前記第１の基板の前記第２の基板側の面である第１の面は前記第１の光に対して反射防止性を有することを特徴とする。
上記のひとつの生体センサーにおいて、前記第１の面には、前記反射防止フィルムが貼付されることが好ましい。
上記のひとつの生体センサーにおいて、前記反射防止フィルムは、表面に薄膜が形成されたものであることが好ましい。
上記のひとつの生体センサーにおいて、前記薄膜は、誘電体からなる複数の薄膜が複数積層されており、前記複数の薄膜のそれぞれ隣り合う膜同士では屈折率が互いに異なることが好ましい。
上記のひとつの生体センサーにおいて、前記反射防止フィルムの前記第２の基板側の表面は、凹凸形状となっていることが好ましい。
上記のひとつの生体センサーにおいて、前記第１の面には、薄膜が形成されていることが好ましい。
上記のひとつの生体センサーにおいて、前記薄膜は、誘電体からなる複数の薄膜が積層されて形成され、前記複数の薄膜のそれぞれ隣り合う膜同士では屈折率が互いに異なることが好ましい。
上記のひとつの生体センサーにおいて、前記第１の面が凹凸形状となっていることが好ましい。
本発明に係るひとつの生体情報検出装置は、上記のいずれかに記載のひとつの生体センサーと、前記受光素子から出力される信号に基づいて生体情報を出力する演算処理回路と、を備えることが好ましい。
上記課題を解決するために本発明に係る生体センサーにあっては、光透過性を有する対向基板と、被験体に対し、前記対向基板を介して光を照射する発光素子と、前記被験体からの光を、前記対向基板を介して受光して、当該受光に応じた信号を出力する受光素子と、を備え、前記対向基板のうち、前記発光素子および受光素子との対向面が反射防止性を有することを特徴とする。
本発明では、発光素子と受光素子との間に遮光物を設けなくても、発光素子から出射された光が対向基板で反射して受光素子に入射する成分が低減される。したがって、本発明によれば、遮光物を設けなくて済むので、その分、小型化が容易となって、微弱な光成分を精度良く検出することができる。
【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
被施療者の身体を支持する身体支持部と、
被施療者の身長方向に沿って前記身体支持部内を移動するマッサージ機構を有したマッサージ機において、
前記身体支持部は、少なくともベース部と可動部とにより構成されるとともに、被施療者の身長方向に伸縮可能に構成され、
前記ベース部は、前記マッサージ機構の移動をガイドするためのベースガイドレールを有し、
前記可動部は、前記マッサージ機構の移動をガイドするための可動ガイドレールを有し、
前記ベースガイドレールに対して、前記可動ガイドレールがスライドすることによって、前記可動部が、前記ベース部に対して移動することを特徴としたマッサージ機。
【請求項２】
前記マッサージ機構は、前記ガイドレールを転動するローラと、
該ローラと身長方向に所定距離を有して前記ベースガイドレール側に設けられたピニオンと、を有し、
前記ベースガイドレールは、前記ピニオンが嵌合するラックを有し、
前記可動ガイドレールが、前記ベースガイドレールに対してスライドする距離は、前記所定距離内にあることを特徴とした請求項１に記載のマッサージ機。
【請求項３】
前記ベース部と前記可動部を固定するためのロック機構を設けていることを特徴とした請求項１又は２に記載のマッサージ機。
【請求項４】
前記可動部には、該可動部をスライドさせるためのハンドルを設けていることを特徴とした請求項１〜３のいずれか１項に記載のマッサージ機。
【請求項５】
前記ベース部と前記可動部の内少なくとも一方に、移動する際のブレーキ手段を設けていることを特徴とした請求項１〜４のいずれか１項に記載のマッサージ機。
【請求項６】
前記身体支持部に前記マッサージ機構をカバーするカバー部材が設けられ、
前記カバー部材を前記身体支持部の伸縮に追従させて伸縮可能に構成したことを特徴とした請求項１〜５のいずれか１項に記載のマッサージ機。  
【請求項７】
前記身体支持部を伸縮駆動させる伸縮駆動部を有し、
該伸縮駆動部の駆動力を用いて、前記可動部を前記ベース部に対して移動することで、身体支持部を伸縮させることを特徴とした請求項１〜６のいずれか１項に記載のマッサージ機。
【手続補正２】
【補正対象書類名】明細書
【補正対象項目名】０００５
【補正方法】変更
【補正の内容】
【０００５】
そこで本発明は、上述した問題を解消するためになされたものであり、身体支持部の伸縮に合わせてマッサージ機構の施療範囲も変化することで、被施療者の身長に合わせた良好なマッサージを行うことを可能としたマッサージ機を提供することを目的とする。
【手続補正３】
【補正対象書類名】明細書
【補正対象項目名】０００６
【補正方法】変更
【補正の内容】
【０００６】
本発明は、被施療者の身体を支持する身体支持部と、被施療者の身長方向に沿って前記身体支持部内を移動するマッサージ機構を有したマッサージ機において、前記身体支持部は、少なくともベース部と可動部とにより構成されるとともに、被施療者の身長方向に伸縮可能に構成され、前記ベース部は、前記マッサージ機構の移動をガイドするためのベースガイドレールを有し、前記可動部は、前記マッサージ機構の移動をガイドするための可動ガイドレールを有し、前記ベースガイドレールに対して、前記可動ガイドレールがスライドすることによって、前記可動部が、前記ベース部に対して移動することを特徴とする。
このような構成とすることにより、マッサージ機構の移動ストローク自体を変更することができ、被施療者の身長に応じた施療範囲でマッサージすることができ、また、非使用時には身体支持部を収縮させてコンパクト化することができる。
【手続補正４】
【補正対象書類名】明細書
【補正対象項目名】０００７
【補正方法】削除
【補正の内容】
【手続補正５】
【補正対象書類名】明細書
【補正対象項目名】００１４
【補正方法】変更
【補正の内容】
【００１４】
本発明によれば、身体支持部の伸縮に合わせてマッサージ機構の施療範囲も変化することで、被施療者の体格に合わせた良好なマッサージを行うことを可能としたマッサージ機を提供することができる。